(57)【要約】【課題】  光硬化樹脂の硬化後の収縮、酸素阻害による表面のべたつき、硬化後のひずみ、端部のひび割れを解消することが可能な照射装置を得る。【解決手段】  光硬化樹脂を硬化させる光を照射する光源を備えた本体部と、光源からの光の照射条件を制御する制御部とを備えた光硬化樹脂用光照射装置において、光源は光硬化樹脂を硬化させる波長領域の内で長い波長領域にピーク波長を有する長波長光と長波長光に対して短い波長領域にピーク波長を有する短波長光とを備え、制御部が予め記憶された２種以上の制御工程から選択された照射制御工程に沿って光源による長波長光の照射量と短波長光の照射量とを制御するもの。【選択図】      図１
2020040360.tif 000002
【特許請求の範囲】
【請求項１】
光硬化樹脂を硬化させる光を照射する光源を備えた本体部と、前記光源からの光の照射条件を制御する制御部とを備えた光硬化樹脂用光照射装置において、
前記光源は、前記光硬化樹脂を硬化させる光として、前記光硬化樹脂を硬化させる波長領域の内で長い波長領域にピーク波長を有する長波長光と、前記長波長光に対して短い波長領域にピーク波長を有する短波長光とを備え、
前記制御部が、予め記憶された２種以上の制御工程から選択された照射制御工程に沿って前記光源による前記長波長光の照射量と前記短波長光の照射量とを制御するものであることを特徴とする制御部を備えた光硬化樹脂用光照射装置。
【請求項２】
前記長波長光が３６０ｎｍ〜４４０ｎｍにピーク波長を有し、
前記短波長光が３００ｎｍ〜４００ｎｍにピーク波長を有するものであることを特徴とする請求項１に記載の制御部を備えた光硬化樹脂用光照射装置。
【請求項３】
前記制御部の予め記憶された照射制御工程の１つが、硬化開始時には長波長光のみを３０〜９０秒照射した後、長波長光と短波長光とを３０〜３６０秒照射させるように制御するものであることを特徴とする請求項１又は２に記載の制御部を備えた光硬化樹脂用光照射装置。
【請求項４】
前記制御部に、前記光源からの光の照射中に異常を検知した場合に照射を停止する照射停止手段を更に備えたことを特徴とする請求項１〜３の何れか１項に記載の制御部を備えた光硬化樹脂用光照射装置。
【発明の詳細な説明】
【技術分野】
【０００１】
本発明は近紫外線等の光照射を受けて硬化する光硬化樹脂を硬化させるための光硬化樹脂用光照射装置に関し、特に光硬化樹脂を硬化させる領域内での長い波長と短い波長との光の照射を制御する制御部を備えた光照射装置に関するものである。
【背景技術】
【０００２】
ネイルアート等においては、紫外線を含む光で硬化する光硬化樹脂を手や足の爪に、塗布した後に、塗布領域にＬＥＤライトから紫外線領域を含む光を照射することにより、爪上に保護膜を硬化形成するためのＬＥＤライト装置が既に提案されている（例えば、特許文献１参照）。
【０００３】
従来の紫外線硬化樹脂を硬化させる際に使用されている紫外線ライトは、照射範囲が開放的になっており人体に暴露される可能性がある。紫外線は波長の短い高エネルギーの光線であり、紫外線の人体に対する有害性は種々のものがある。
【０００４】
例えば、眼の角膜に紫外線があたると、角膜の炎症を起こし、強い目の痛み、充血といった症状が出ることがあり、ダメージの蓄積によって、白内障の発症の可能性がある。また、皮膚に紫外線があたると、皮膚の弾性を失わせ老化を促進し、メラニン色素を酸化させて褐色に変化させる。ダメージの蓄積によって、皮膚前がん症、皮膚がん等の発症の可能性も指摘されている。
【先行技術文献】
【特許文献】
【０００５】
【特許文献１】実用新案登録第３１８０１３９号
【発明の概要】
【発明が解決しようとする課題】
【０００６】
近年では、紫外線の人体への暴露の影響を低減させるため、紫外線領域でも可視光に近い近紫外線で硬化する光硬化樹脂を用いたり、更には、紫外線領域に近い高エネルギー可視光線で硬化する光硬化樹脂を用いることも検討されつつあり、光硬化樹脂の開発も暫時行われているようである。
【０００７】
このような光硬化樹脂を硬化させる光照射装置としては、以下２つのタイプがある。
(a) １種類の波長のみを照射し、光硬化樹脂を硬化させるもの。
(b) 蛍光管等で波長を調整し２つ以上の異なった波長を同時に照射させ、光硬化樹脂を硬化させるもの。
(a) 及び(b) の照射装置を使用し紫外線硬化樹脂を硬化させると以下のような不具合が生じることが判った。
【０００８】
(a) の照射装置で長波長光の場合には、反応が遅く、光硬化樹脂表面の酸素による硬化阻害の影響の為に表面がべたつく。また、(a) の照射装置で短波長光の場合には、反応が早い分、収縮が大きい。厚みのある形を硬化させる場合、光が奥まで届き難く硬化後のひずみが生じやすい。
また、(b) の照射装置の場合には、短波長光を初めから照射することで硬化後に収縮しやすく、短、長波長光を同時照射する為に、表面と奥で硬化速度が異なり硬化後のひずみ（端部のひび割れ）が生じ易いという課題がある。
【０００９】
本発明は、従来の照射装置における長波長光、短波長光の相違に基づく不具合を解消するためになされたものであり、具体的には、光硬化樹脂の硬化後の収縮、酸素阻害による表面のべたつき、硬化後のひずみ、端部のひび割れを解消することが可能な照射装置を得ることを目的とする。
【課題を解決するための手段】
【００１０】
請求項１に記載された発明に係る制御部を備えた光硬化樹脂用光照射装置は、光硬化樹脂を硬化させる光を照射する光源を備えた本体部と、前記光源からの光の照射条件を制御する制御部とを備えた光硬化樹脂用光照射装置において、
前記光源は、前記光硬化樹脂を硬化させる光として、前記光硬化樹脂を硬化させる波長領域の内で長い波長領域にピーク波長を有する長波長光と、前記長波長光に対して短い波長領域にピーク波長を有する短波長光とを備え、
前記制御部が、予め記憶された２種以上の制御工程から選択された照射制御工程に沿って前記光源による前記長波長光の照射量と前記短波長光の照射量とを制御するものであるものであることを特徴とするものである。
【００１１】
請求項２に記載された発明に係る制御部を備えた光硬化樹脂用光照射装置は、請求項１に記載の長波長光が３６０ｎｍ〜４４０ｎｍにピーク波長を有し、
前記短波長光が３００ｎｍ〜４００ｎｍにピーク波長を有するものであることを特徴とするものである。
【００１２】
請求項３に記載された発明に係る制御部を備えた光硬化樹脂用光照射装置は、請求項１又は２に記載の制御部が、硬化開始時には長波長光のみを３０〜９０秒照射した後、長波長光と短波長光とを３０〜３６０秒照射させるように制御することを特徴とするものである。
【００１３】
請求項４に記載された発明に係る制御部を備えた光硬化樹脂用光照射装置は、請求項１〜３の何れか１項に記載の制御部に、前記光源からの光の照射中に異常を検知した場合に照射を停止する照射停止手段を更に備えたことを特徴とするものである。
【発明の効果】
【００１４】
本発明は、光硬化樹脂の硬化後の収縮、酸素阻害による表面のべたつき、硬化後のひずみ、端部のひび割れを解消することが可能な照射装置を得るという効果がある。
【図面の簡単な説明】
【００１５】
【図１】本発明の光硬化樹脂用光照射装置の一実施例の概念図である。
【図２】図１の装置のより具体的な折り畳み時の構成を示す説明図である。
【図３】図２の短辺脚部と長辺脚部とを立脚させた状態を示す説明図である。
【図４】図２の短辺脚部の構成を示す説明図である。
【図５】図２の長辺脚部の構成を示す説明図である。
【図６】図２の本体部に４枚の脚部を立脚させた状態を示す説明図である。
【図７】図２の長辺脚部と短辺脚部との嵌合を示す説明図である。
【図８】図１の光硬化樹脂用光照射装置で用いる２種類のＬＥＤライトのピーク波長を示す説明図である。
【図９】図１の制御部で制御されるプログラムによる照射制御工程の２つのフロー図である。
【図１０】図１の制御部で制御される別のプログラムによる照射制御工程の２つのフロー図である。
【図１１】図１の制御部で制御される更に別のプログラムによる照射制御工程のフロー図である。
【発明を実施するための形態】
【００１６】
本発明においては、光硬化樹脂を硬化させる光を照射する光源を備えた本体部と、光源からの光の照射条件を制御する制御部とを備えた光硬化樹脂用光照射装置において、光源は、光硬化樹脂を硬化させる光として、光硬化樹脂を硬化させる波長領域の内で長い波長領域にピーク波長を有する長波長光と、長波長光に対して短い波長領域にピーク波長を有する短波長光とを備え、制御部が、予め記憶された２種以上の制御工程から選択された照射制御工程に沿って光源による長波長光の照射量と短波長光の照射量とを制御する。このため、光硬化樹脂の硬化後の収縮、酸素阻害による表面のべたつき、硬化後のひずみ、端部のひび割れを解消することを可能とする。
【００１７】
即ち、光硬化樹脂を硬化させる光の波長領域であっても短い波長の光は、エネルギー量が大きい。このため、光硬化樹脂への反応が早く、厚みのある樹脂部分の表面が早く固まる利点があるが、固まる部分が表面が主となるため、収縮が大きくなり、歪みも大きくなる欠点がある。一方、光硬化樹脂を硬化させる光の波長領域であっても長い波長の光では、エネルギー量が小さい。このため、光硬化樹脂への反応が遅く、全体をゆっくりと硬化させることができ、樹脂の収縮や歪みの発生が小さい利点がある反面、樹脂表面の酸素による硬化阻害の影響のため表面がベタつく欠点がある。
【００１８】
これら短波長光と長波長光との欠点、利点を勘案して、制御部で長波用光源と短波用光源との照射量を制御することにより、光硬化樹脂の硬化後の収縮、酸素阻害による表面のべたつき、硬化後のひずみ、端部のひび割れを解消することを可能とする。
【００１９】
本発明の光硬化樹脂を硬化させる光としては、光硬化樹脂を硬化させる波長の光を含む光であればよく、照射される光硬化樹脂の種類に応じて選択されればよい。具体的には、ウレタンアクリレート、アクリル酸エステル、アクリルモノマー等の単量体に光重合開始剤を添加した光硬化樹脂を用いる。この場合、用いる光重合開始剤に応じて硬化する光の波長が相違する。例えば、２，４，６−トリメチルベンゾイル−ジフェニル−フォスフィンオキサイドや１−ヒドロキシ−シクロヘキシル−フェニルケトン等の光重合開始剤では、紫外線領域、紫外線領域でも可視光に近い近紫外線、更には、ブルーライトのような紫外線領域に近い高エネルギー可視光でも硬化する。本発明では、光硬化樹脂を硬化させる光として、光硬化樹脂を硬化させる波長領域の内で長い波長領域にピーク波長を有する長波長光と、長波長光に対して短い波長領域にピーク波長を有する短波長光とを備える。
【００２０】
このような長波長光と短波長光とは、幅広い波長を含む光から特定の波長領域を遮断するフィルターを通した光で長波長光又は短波長光を得てもよいが、特定のピーク波長を照射する複数のＬＥＤを光源として用いる方が安価に製造することができる。即ち、長波長光を照射する長波用光源と、短波長光を照射する短波用光源とを本体部に搭載すればよい。個々の長波用光源と短波長光源とは１個のＬＥＤ光源で切り換えて照射されるものでもよく、長波用光源と短波長光源とを個別に１つずつ搭載してもよいが、各々複数個を搭載する方が、広い面積を略均一に照射することができるため、より好ましい。
【００２１】
本発明の光源から照射される光としては、更に、好ましくは、長波長光が３６０ｎｍ〜４４０ｎｍにピーク波長を有し、短波長光が３００ｎｍ〜４００ｎｍにピーク波長を有するものである。
【００２２】
本発明の制御部としては、光源の照射条件を制御するものであって、予め記憶された２種以上の制御工程から選択された照射制御工程に沿って前記長波長光の照射量と前記短波長光の照射量とを制御するものであればよい。好ましくは、硬化初期では長波用光の照射量に対して短波用光の照射量を少なく制御するものであり、硬化後期に短波用光の照射量を初期よりも増加させればよい。より好ましくは、次の３種の制御を単独又は組み合わせて行う。
(1) 長波長光の照射後に、短、長波長光を同時に照射する
(2) 照射初期には長波長光を照射し、照射終盤にかけて短波長光を徐々に強める
(3) 短波長光を間欠的に照射する
【００２３】
より詳しくは、制御部の予め記憶された照射制御工程の１つが、長波長光のみを３０〜９０秒照射した後、長波長光と短波長光とを３０〜３６０秒照射させる。これにより、光硬化樹脂の硬化後の収縮、酸素阻害による表面のべたつき、硬化後のひずみ、端部のひび割れを解消することができる。
【００２４】
また、前述の照射制御工程以外でも、継続的な長波長光と間欠的な短波長光とを照射することによっても硬化初期の短波長光の照射量が長波長光の照射量よりも小さくすることができ、硬化後期にかけて短波長光の間欠間隔を短くすることにより、光硬化樹脂の硬化後の収縮、酸素阻害による表面のべたつき、硬化後のひずみ、端部のひび割れを解消することができる。短波長光の間欠的な照射については、硬化初期段階と硬化後期段階とで間隔を相違させてもよい。
【００２５】
本発明では光源からの光の照射中に異常を検知した場合に照射を停止する照射停止手段を制御部に更に備えてもよい。具体的には、本体部の光源の近傍に温度センサを配置させておき、計測された温度センサの温度が予め定められた温度の閾値を超えた場合に、光源における光の照射を停止させたり、本体部に傾斜スイッチを配置しておき、照射中に本体部が予め定められた角度の閾値以上に傾いた状態を傾斜スイッチが検知した場合に、光源における光の照射を停止させる停止手段を搭載させてもよい。
【００２６】
これらの制御部を備えた光硬化樹脂用光照射装置としては、種々の光照射装置を採用してもよく、特に、光硬化樹脂を硬化させる光が人体に暴露されにくい機構を備えたものが好ましい。例えば、下面側に光硬化樹脂を硬化させる光を照射する光源を備えた本体部と、本体部を支持する支持手段とを備えた光硬化樹脂用光照射装置において、本体部は外形が矩形状の筐体であり、支持手段として本体部の矩形の４辺の縁部に本体部の下部空間を囲むように立脚される４枚の板状の脚部を備え、記板状の脚部が光源からの照射光の全波長領域又は特定波長領域を低減又は遮蔽するものであるものが好ましい。
【実施例】
【００２７】
１．装置構造
図１は本発明の光硬化樹脂用光照射装置の一実施例の概念図である。図２は図１の装置のより具体的な折り畳み時の構成を示す説明図であり、ａ図は平面図、ｂ図は斜視図、ｃ図は裏面図、ｄ図は本体部のみの裏面図である。図３は図２の短辺脚部と長辺脚部とを立脚させた状態を示す説明図であり、ａ図は平面図、ｂ図は斜視図である。図４は図２の短辺脚部の構成を示す説明図であり、ａ図は平面図、ｂ図は斜視図、ｃ図は正面図、ｄ図は側面図である。図５は図２の長辺脚部の構成を示す説明図であり、ａ図は平面図、ｂ図は斜視図、ｃ図は正面図、ｄ図は側面図である。図６は図２の本体部に４枚の脚部を立脚させた状態を示す説明図であり、ａ図は平面図と要部の拡大図であり、ｂ図は斜視図と要部の拡大図である。図７は図２の長辺脚部と短辺脚部との嵌合を示す平面図と要部の拡大図及び係止状態の要部の拡大図である。
【００２８】
図１及び図２に示す通り、本実施例の光硬化樹脂用光照射装置１０は、矩形状の本体部１１と、本体部１１を支持する支持手段として、矩形の短辺の内縁部に配される一対の板状の短辺脚部４１と矩形の長辺の内縁部に配される一対の板状の長辺脚部５１との４枚の板状の脚部４１、５１とを備える。本体部１１の上面にはプログラムの呼び出しとプログラムのスタート等を操作する操作スイッチ１２と表示部１３とを備え、本体部１１の下面には光源としての１０個のＬＥＤライト１４が備わっている。
【００２９】
図３に示す通り、４枚の板状の脚部４１、５１は折り畳み状態から立脚状態へ移行することができる。具体的には、対向位置に配置される各々の板状の脚部４１、５１は、本体部１１の矩形の４辺の内縁部に２つの支点４２、５２で回動可能に掛止されている。
【００３０】
折り畳み状態では、本体部１１の矩形の長辺の内縁部に配置される一対の板状の脚部５１が内側で、本体部１１の矩形の短辺の内縁部に配置される一対の板状の脚部４１が外側に配置される。一対の板状の脚部４１の支点４２の反対側の端部に配置された掛止突起部４３が一対突設され、本体部１１の折り畳み時の対向位置に穿設された掛止孔１９に掛止突起部４３が挿入されて掛止されることで折り畳み状態を維持することができる。この折り畳み状態とすることにより、脚部の立脚時には、装置全体の厚みとしての４．７ｃｍの高さが、折り畳み時には１．９ｃｍの高さとなる。
【００３１】
また、支点４２、５２で回動して折り畳み状態と立脚状態とを開閉自在に動作する４枚の板状の脚部４１、５１は、本体部１１に対して着脱自在である。より詳しくは、４枚の板状の脚部４１、５１の支点４２、５２が、本体部１１の対応する支点支持部２１、２６から着脱自在となっている。
【００３２】
図４に示す通り、本体部１１の矩形の短辺の内縁部に配置される短辺脚部４１は、上縁部の内側に２つの支点４２が突設して形成されている。取付けに際しては、本体部１１の対応する支点支持部２１に装入され、図６に示す通り、２つの支点４２が支点支持部２１の挿入口２２から同時に差し入れられ、斜めに傾斜されたスライダー部２３に沿って内側から外側に向かって同時に押圧されることにより、２つの支点４２が支持位置に乗り上げられて回動可能にロックされる。
【００３３】
取外しに際しては、２つの支点４２が支持位置で回動されている状態から、２つの支点４２を同時に脚部４１を本体部１１の中心側へ移動させることにより、支持位置の乗り上げ状態からスライダー部２３へ移動される。この状態から２つの支点４２を挿入口２２へ移動させ、短辺脚部４１を取り外す。
【００３４】
同じく図５に示す通り、本体部１１の矩形の長辺の内縁部に配置される長辺脚部５１についても、上縁部の内側に２つの支点５２が突設して形成され、本体部１１の対応する支点支持部２６に装入され、図６に示す通り、２つの支点５２が支点支持部２６の挿入口２７から同時に差し入れられ、斜めに傾斜されたスライダー部２８に沿って内側から外側に向かって同時に押圧されることにより、２つの支点５２が同時に支持位置に乗り上げられて回動可能にロックされる。
【００３５】
取外しに際しても、２つの支点５２が支持位置で回動されている状態から、２つの支点５２を同時に脚部５１を本体部１１の中心側へ移動させることにより、２つの支点５２が同時に支持位置の乗り上げ状態からスライダー部２８へ移動される。この状態から２つの支点５２を挿入口２７へ移動させ、長辺脚部５１を取り外す。
【００３６】
これらの機構により、４枚の板状の脚部４１、５１は何れの脚部を取り外すことが可能となる。この場合、光硬化樹脂用光照射装置１０の本体部１１を立脚させるためには、少なくとも対向する２つの板状の脚部が立脚されていればよい。従って、４枚の板状の脚部は、同時には１枚又は対向する２枚を取り外すことができる。
【００３７】
また、４枚の板状の脚部４１、５１には、各々の支点４２、５２に対して、支点支持部２１、２６の支持位置で回動される。閉脚状態から立脚状態となる際に、ぐらつかないように固定される。詳しくは、本体部１１の矩形の短辺の内縁部に配置される板状の脚部４１の上端縁が本体部１１の２つの支点支持部２１の内側近傍に開口縁に形成された乗り上げ突起２０が形成されている。これら乗り上げ突起２０を乗り越えることで脚部４１、５１が立脚状態で固定される。尚、本体部１１の矩形の長辺の内縁部に配置される板状の脚部５１についても、同様の乗り上げ突起２５が形成されている。
【００３８】
更に、個々の４枚の板状の脚部４１、５１同士については、隣接する板状の脚部４１、５１の端縁部同士が互いに嵌まり合うように突起部とこれが嵌まる溝部とを形成される。詳しくは、本実施例では、短辺脚部４１の両側部は、長辺脚部５１に向かって対向するように曲折されており、外周面部が長辺脚部５１に向かって突設され、内周面部は凹設され、断面がＬ字状となっている。長辺脚部５１は短辺脚部４１のＬ字状の断面に合致するように、外周面部が凹設され、内周面部が突設されている。
【００３９】
短辺脚部４１の支点４２の反対側の端部には、掛止突起部４３が突設されているため、長辺脚部５１の突設された内周面部がこの係止突起部４３を乗り越えて短辺脚部４１の凹設された内周面部に嵌まり込むことで連結される。即ち、図７に示す通り、長辺脚部５１の突設された内周面部は、立脚状態の短辺脚部４１を更に広げることにより、脚部４１の撓みで係止突起部４３を乗り越えて短辺脚部の凹設された内周面部に嵌まり込む。
【００４０】
４枚の脚部４１、５１同士は短辺脚部４１の係止突起部４３を乗り越えて長辺脚部５１の突設された内周面部が嵌まり込むことでその間隙から光硬化樹脂を硬化させる光が漏れることがないように間隙を無くすことができる。尚、脚部の折り畳み時から４枚の脚部４１、５１を展開させる際に、指を入れやすいように、短辺脚部４１には下端部の中央となる箇所にくぼみ４４が、長辺脚部５１には中央に穴５４が開いている。
【００４１】
２．制御部
図８は図１の光硬化樹脂用光照射装置で用いる２種類のＬＥＤライトのピーク波長を示す説明図である。図９は図１の制御部で制御されるプログラムによる照射制御工程の２つのフロー図である。図１０は図１の制御部で制御される別のプログラムによる照射制御工程の２つのフロー図である。図１１は図１の制御部で制御される更に別のプログラムによる照射制御工程のフロー図である。
【００４２】
本実施例のＬＥＤライト１４は、１種だけでなく、長波長光が３６０ｎｍ〜４４０ｎｍにピーク波長を有するＬＥＤライトと、短波長光が３００ｎｍ〜４００ｎｍにピーク波長を有するＬＥＤライトとを分散させて配置し、各々のＬＥＤライト１４を本体部１１内に配置された制御部１５で駆動・制御する。本実施例では、図８に示す通り、長波長光としては４２０ｎｍにピーク波長を有したＬＥＤライトと、短波長光としては４０５ｎｍと３６５ｎｍとにピーク波長を有したＬＥＤライトとを用いた。
【００４３】
これら２種類のＬＥＤライト１４は制御部１５によってＯＮ−ＯＦＦ駆動を制御される。制御部１５による制御は、記憶部１６に予め記憶された２種以上のプログラムによる照射制御工程に沿って行われる。好ましくは、硬化初期では長波用光の照射量に対して短波用光の照射量を少なく制御するものであり、硬化後期に短波用光の照射量を初期よりも増加させればよい。
【００４４】
例えば、照射制御工程の１つとしては、硬化開始時には長波長光のみを照射して光硬化樹脂の全体をゆっくりと硬化させた後、長波長光に加えて短波長光を照射して光硬化樹脂の表面のベタつきを解消する制御を行う。より具体的には、光硬化樹脂の硬化後の収縮、酸素阻害による表面のべたつき、硬化後のひずみ、端部のひび割れを解消するために、例えば、図９のａ図のフロー図に示す通り、全体的な硬化を促すために長波長光のみを３０秒照射した後、全体的な硬化と共に表面のベタつきを解消するために長波長光と短波長光とを６０秒照射させる照射制御工程０１を行う。尚、これら長波長光のみの照射時間と長波長光と短波長光との照射時間を変更させてもよい。例えば、表示部１３及び操作スイッチ１２を用いたり、別体の表示・操作パネルを接続等して変更して新たな照射制御工程として記憶部１６に追加記憶させてもよい。
【００４５】
また、他の照射制御工程として、継続的な長波長光と間欠的な短波長光とを照射することによっても硬化初期の短波長光の照射量が長波長光の照射量よりも小さくすることができ、硬化後期にかけて短波長光の間欠間隔を短くして、光硬化樹脂の硬化後の収縮、酸素阻害による表面のべたつき、硬化後のひずみ、端部のひび割れを解消することができる。例えば、図９のｂ図のフロー図に示す通り、全体的な硬化を促すために長波長光のみを５秒照射した後、全体的な硬化と共に表面のベタつきを解消するために長波長光と短波長光とを５秒照射し、短波長光を５秒停止する操作を１０回繰り返す照射制御工程０２を行う。尚、これら長波長光のみの照射時間と長波長光と短波長光との照射時間も同様に変更させて、別の制御工程として記憶させてもよい。
【００４６】
前述の照射制御工程０１及び０２は長波長光を短波長光の照射中でも継続して照射していたが、短波長光の照射中は長波長光の照射を止める制御を行ってもよい。これにより、駆動時間が長くなるが、装置の最大消費電力を小さくして発熱も小さくなる。例えば、図１０のａ図のフロー図に示す通り、全体的な硬化を促すために長波長光のみを６０秒照射した後、長波長光の照射を停止して、表面のベタつきを解消するために短波長光のみを３０秒照射させる照射制御工程０３を行う。
【００４７】
更に、照射制御工程０３の改良として、図１０のｂ図のフロー図に示す通り、全体的な硬化を促すために長波長光のみを６０秒照射した後、長波長光の照射を停止して、表面のベタつきを解消するために短波長光のみを３０秒照射させて短波長光の照射を停止し、硬化残しを防止するため、長波長光のみを３０秒照射させてる照射制御工程０４を行ってもよい。尚、これら長波長光のみの照射時間と長波長光と短波長光との照射時間も同様に変更させて、別の制御工程として記憶させてもよい。
【００４８】
また、図９のｂ図の短波長光の間欠的な照射については、硬化初期段階と硬化後期段階とで間隔を相違させても光硬化樹脂の硬化後の収縮、酸素阻害による表面のべたつき、硬化後のひずみ、端部のひび割れを解消することができる。例えば、図１１のフロー図に示す通り、長波長光のみを３秒照射した後、長波長光と短波長光とを３秒照射し、短波長光を３秒停止する操作を５回繰り返した後、長波長光と短波長光とを１０秒照射し、短波長光を１０秒停止する操作を５回繰り返す照射制御工程０５を行う。尚、これら長波長光のみの照射時間と長波長光と短波長光との照射時間も同様に変更させて、別の制御工程として記憶させてもよい。
【００４９】
また、制御部１５には、種々の安全装置を備えてもよい。例えば、ＬＥＤランプ１４の近傍に温度センサを配置しておき、例えば、８０℃以上となった場合に、強制的に照射を中止するような安全装置を備えてもよい。また、本体部１１に傾斜スイッチを配置しておき、照射中に本体部１１が予め定められた角度の閾値以上に傾いた状態を傾斜スイッチが検知した場合に、ＬＥＤライト１４における光の照射を停止させる停止手段を搭載させてもよい。更に、制御部１５にスピーカー等を敷設しておき、記憶部１６に記憶された照射制御工程に沿って駆動が終了した際に終了チャイムを発するようにしてもよい。以上のように、本実施例の光硬化樹脂用光照射装置はネイルアートは元より、光硬化樹脂を用いたアクセサリーの作製等の工作に使用することができる。
【符号の説明】
【００５０】
１０…光硬化樹脂用光照射装置、
１１…本体部、
１２…操作スイッチ、
１３…表示部、
１４…ＬＥＤライト、
１５…制御部、
１６…記憶部、
１９…掛止孔、
２０…乗り上げ突起、
２１…支点支持部、
２２…挿入口、
２３…スライダー部、
２５…乗り上げ突起、
２６…支点支持部、
２７…挿入口、
２８…スライダー部、
４１…脚部（短辺脚部）、
４２…支点、
４３…掛止突起部、
４４…くぼみ、
５１…脚部（長辺脚部）、
５２…支点、
５４…穴、
【図１】
2020040360.tif 000003
【図２】
2020040360.tif 000004
【図３】
2020040360.tif 000005
【図４】
2020040360.tif 000006
【図５】
2020040360.tif 000007
【図６】
2020040360.tif 000008
【図７】
2020040360.tif 000009
【図８】
2020040360.tif 000010
【図９】
2020040360.tif 000011
【図１０】
2020040360.tif 000012
【図１１】
2020040360.tif 000013